(57)【要約】      （修正有）【課題】取り扱いが簡単で、風合いが良好で且つ着け心地が良く、夏季などの高温多湿時において、頭部付近から発汗した汗を速やかに吸収し、清涼感および爽快感を長く保持し得る涼感装着具を提供する。【解決手段】涼感糸を一部に織り込んだベース布地１０と、当該ベース布地１０における一方の表面の全部あるいは一部に縫い付けた吸水性冷感布地２とを備え、該吸水性冷感布地２は、上記ベース布地１０側からその反対側に向かう順において、蒸発層３、保水層４、および吸収層９の３層構造を有する。【選択図】図２
0003176280.tif 000002
【実用新案登録請求の範囲】
【請求項１】
涼感糸１２を少なくとも一部に織り込むか、あるいは、編み込んだベース布地１０と、
上記ベース布地１０における一方の表面の全部あるいは一部に縫い付けた吸水性冷感布地２(２１，２２)とを備えた、
ことを特徴とする涼感装着具１，２０。
【請求項２】
前記吸水性冷感布地２は、前記ベース布地１０側からその反対側に向かう順において、蒸発層３、保水層４、および吸収層９の３層構造を有する、
ことを特徴とする請求項１に記載の涼感装着具１，２０。
【請求項３】
前記吸水性冷感布地２を構成する前記蒸発層３、保水層４、および吸収層９は、ポリエステルおよびポリイミドからなり、且つ少なくとも上記保水層４には中空部６，８を有するポリエステル繊維５，７が用いられている、
ことを特徴とする請求項１または２に記載の涼感装着具１，２０。
【請求項４】
前記ベース布地１０を構成する涼感糸１２は、セルロール系繊維含有糸１３と、該繊維含有糸１３の表面に固着した涼感機能剤１４とからなり、該涼感機能剤１４は、２分子膜多層構造の小胞体１４であり、該小胞体１４の親水層１５ａ，１５ｂには、糖アルコールが内包され、且つ該小胞体１４の親油層１６ａ〜１６ｃには、スキンケア成分が内包されている、
ことを特徴とする請求項１乃至３の何れか一項に記載の涼感装着具１，２０。
【請求項５】
前記ベース布地１０を首巻き用の帯状体１における一方の表面とし、該帯状体１の他方の表面における一部または全部に前記吸水性冷感布地２を縫い付けると共に、上記帯状体１の両端部１０ｂ，１０ｃにおける異なる上記表面あるいは同じ上記表面に面状係止テープＴ１，Ｔ２を取り付けてなる、
ことを特徴とする請求項１乃至４の何れか一項に記載の涼感装着具１。
【請求項６】
前記ベース布地１０を用いて、頭部装着用で四角形状の頭覆部２５と、前頭部に隣接する辺２６の両端から突出する一対の凸部２７，２８とを有するバンダナ本体２４を形成し、該バンダナ本体２４における上記前頭部に隣接する辺２６とこれに対向し且つ後頭部に隣接する辺２９との少なくとも一方に帯状にした前記吸水性冷感布地２１，２２を縫い付けると共に、上記バンダナ本体２４における一対の凸部２８，２９ごとの異なる表面または同じ表面に面状係止テープＴ１，Ｔ２を取り付けてなる、  
ことを特徴とする請求項１乃至４の何れか一項に記載の涼感装着具２０。
【考案の詳細な説明】
【技術分野】
【０００１】
本考案は、取り扱いが簡単で、風合いが良好で且つ着け心地が良く、夏季などの高温多湿時において、頭部付近から発汗した汗を速やかに吸収し、清涼感および爽快感を長く保持し得る涼感装着具に関する。
【背景技術】
【０００２】
夏季などの炎天下や高温多湿の環境下では、額を含む頭部や首周りの日焼けを防ぐため、タオルやネッカーフなどを鉢巻き状または襟巻き状に巻き付けることが多々行われている。しかし、タオルを頭部に鉢巻き状に巻いたり、ネッカーフ首周りに巻き付けるだけでは、額や首筋からの持続的な発汗によって、却って頭部や首付近が蒸れてしまう。そのため、時々タオルなどを取り外して、額や首筋を外気に露出させることが必要となり、且つ使用者にとって不衛生でもあった。
上記着用時の発汗による蒸れを解消し、風合いが良好で清涼感のある着心地が得られると共に、洗濯時の耐久性に優れた涼感糸および該涼感糸を使用した涼感織編物が提案されている（例えば、特許文献１参照）。
しかし、上記涼感糸を使用した涼感織編物では、炎天下などにおける額や首筋からの発汗による汗を十分に吸収できないと共に、この汗を順次蒸発させることもできない、という問題があった。
【０００３】
一方、着用時に額付近に接する前頭部などにガーゼ生地を一枚または二枚以上重ね合わせた吸汗パッドを縫い合わせたバンダナキャップも提案されている（例えば、特許文献２参照）。
更に、帯状布の長手方向において、着用時に額付近に接する中間位置に設けた袋状部分に吸水樹脂ポリマーを挿入し、３〜５分水に浸して水分を吸水確保し、この水分の蒸発潜熱を利用して冷却効果を得るようにしたネックスカーフも提案されている（例えば、特許文献３参照）。
しかし、特許文献２の前記バンダナキャップのように、前頭部などにガーゼ生地からなる吸汗パッドを縫い合わせたものでは、汗を吸収しても蒸発しにくいため、使用者が蒸れ感を催し、引いては不快感に至る、という問題があった。
加えて、特許文献３の前記ネックスカーフでは、予め、帯状布の中間に袋状部分を形成しておき、該袋状部分に吸水樹脂ポリマーを挿入した後、水に浸す必要があるため、袋状部分の縫製や使用時の取り扱いが煩雑であると共に、上記吸水樹脂ポリマーの劣化や袋状部分からの脱落が生じ得る、という問題があった。
【先行技術文献】
【特許文献】
【０００４】
【特許文献１】実用新案登録第３１７２７４１号公報(第１〜９頁、図１〜４)
【特許文献２】実用新案登録第３１７３４５３号公報(第１〜５頁、図１，２)
【特許文献３】実用新案登録第３１６９０７９号公報(第１〜５頁、図１〜６)
【考案の概要】
【考案が解決しようとする課題】
【０００５】
本考案は、背景技術において説明した問題点を解決し、取り扱いが簡単で、風合いが良好で且つ着け心地が良く、夏季などの高温多湿時において、頭部付近から発汗した汗を速やかに吸収し、清涼感および爽快感を長く保持し得る涼感装着具を提供する、ことを課題とする。
【課題を解決するための手段および考案の効果】
【０００６】
本考案は、前記課題を解決するため、涼感糸を用いたベース布地と、該ベース布地における一方の表面の全部または一部に吸水性冷感布地を縫い付ける、ことに着想して成されたものである。
即ち、本考案の涼感装着具（請求項１）は、涼感糸を少なくとも一部に織り込むか、あるいは、編み込んだベース布地と、該ベース布地における一方の表面の全部あるいは一部に縫い付けた吸水性冷感布地とを備えた、ことを特徴とする。
【０００７】
これによれば、涼感糸を含むベース布地と、その一方の表面に縫い付けた吸水性冷感布地とを備えているので、夏季などの高温多湿時において、予め水に漬けてから絞って展開して、頭部に鉢巻き状に装着したり、首筋に巻き付けるだけの感棚操作によって、頭部付近から発汗した汗を上記吸水性冷感布地によって速やかに吸収し且つ順次蒸発させ得ると共に、ベース布地に含まれる涼感糸によって良好な風合いを伴いつつ、清涼感や爽快感を長く保持することができる。
従って、炎天下で行われる各種の作業や行為を行う者の健康と良好な衛生状態を保てると共に、おしゃれなファッションの一部に流用することも可能である。
【０００８】
尚、前記涼感糸を少なくとも一部に織り込んだベース布地、あるいは、涼感糸を少なくとも一部に編み込んだ前記ベース布地には、涼感糸同士のみを織り込んだり、編み込んだ涼感糸１００％の布地であるほか、縦糸あるいは横糸の一方のみに上記涼感糸を用い、他方に通常の天然繊維または合成繊維を用いて織り込むなどした布地や、更には、縦糸および横糸の一部にのみ上記涼感糸を用いて織り込むなどした布地も含まれる。
また、前記ベース布地における一方の表面の全部に縫い付けた前記吸水性冷感布地とは、物理的に該表面の１００％を占めるだけでなく、上記表面のほぼ全体を占める（例えば、該表面の９０％以上）ように縫い付けられた形態も含まれる。
【０００９】
また、本考案には、前記吸水性冷感布地は、前記ベース布地側からその反対側に向かう順において、蒸発層、保水層、および吸収層の３層構造を有する、涼感装着具（請求項２）も含まれる。
これによれば、前記吸水性冷感布地が、前記ベース布地側からその反対側に向かう順（断面方向）において、蒸発層、保水層、および吸収層の３層の繊維層によって構成され、予め、浸水時に進入した水は主に上記保水層に貯水されているので、使用者の額や首筋などの地肌から発汗した汗は、地肌に隣接する吸収層に速やかに吸収されると共に、上記保水層に順次移行する。係る保水層に貯留された汗を含む水分は、隣接する蒸発層から直に外気側へ順次蒸発するか、前記ベース布地を貫通してから外気側へ順次蒸発していく。従って、発汗した汗を速やかに吸収層で吸収して保水層に取り込み、更に該保水層から順次蒸発層を通じて外部に蒸発させられるので、汗が額や首筋に溜まらず、所要の作業などを快適な状態下で正確且つ支障なく遂行することが容易となる。
【００１０】
更に、本考案には、前記吸水性冷感布地を構成する前記蒸発層、保水層、および吸収層は、ポリエステルおよびポリイミドからなり、且つ少なくとも上記保水層には中空部を有するポリエステル繊維が用いられている、涼感装着具（請求項３）も含まれる。
これによれば、互いに織り込まれる縦糸および横糸に、所要量ずつのポリエステルとポリイミドとを用いることで、吸水性冷感布地を構成する前記蒸発層、保水層、および吸収層をそれぞれ確実に形成することができる。
尚、前記ポリイミドには、ナイロン（通称）も含まれる。
また、前記ポリエステルには、不飽和ポリエステルやアルキド樹脂などが含まれ、前記ポリエステル繊維には、テトロン（登録商標）も含まれる。
更に、ポリエステルとポリイミドとを織り込む際の比率は、例えば、ポリエステル：６５〜８５％とポリイミド：３５〜１５％、ポリエステル：８０％とポリイミド：２０％、あるいはポリエステル：７７％とポリイミド：２３％が例示される。これらの割合は、前記吸水性冷感布地を構成する前記蒸発層、保水層、および吸収層ごとの機能に応じて適宜選択される。
加えて、ポリエステルは、比較的疎水性の繊維であるが、予め、親水性を奏する処理を施したものとしても良い。
【００１１】
また、本考案には、前記ベース布地を構成する涼感糸は、セルロール系繊維含有糸と、該繊維含有糸の表面に固着した涼感機能剤とからなり、該涼感機能剤は、２分子膜多層構造の小胞体であり、該小胞体の親水層には、糖アルコールが内包され、且つ該小胞体の親油層には、スキンケア成分が内包されている、涼感装着具（請求項４）も含まれる。
これによれば、前記ベース布地を構成する涼感糸が、表面に涼感機能剤を固着したセルロール系繊維含有糸であり、該涼感機能剤を構成する上記小胞体の親水層には、糖アルコールが内包され、且つ該小胞体の親油層には、スキンケア成分が内包されている。そして、上記小胞体が、セルロール系繊維含有糸との親和性が高く、且つ糖アルコールが該小胞体の親水層に内包されているので、洗濯により脱落することがない。しかも、上記小胞体の親油層には、スキンケア成分が内包されているので、地肌に優しい風合いが得られる。
尚、前記糖アルコールには、例えば、キシトールが挙げられ、前記スキンケア成分には、スクワランが挙げられる。但し、これらに限られるものではない。
【００１２】
更に、本考案には、前記ベース布地を首巻き用の帯状体における一方の表面とし、該帯状体の他方の表面における一部または全部に前記吸水性冷感布地を縫い付けると共に、上記帯状体の両端部における異なる上記表面あるいは同じ上記表面に面状係止テープを取り付けてなる、涼感装着具（請求項５）も含まれる。
これによれば、予め、水に浸した前記帯状体の両端部に取り付けた面状係止テープ同士を係止することで、該涼感装着具を首筋に沿って巻き付けたり、頭に鉢巻き状に巻き付けて装着することで、額付近からの発汗や、首筋、特に後ろ首付近から発汗を速やかに吸収し且つ順次蒸発させる作用が持続的に得られる。従って、簡単な操作で、炎天下などにおける作業を正確且つ快適に行うことができる。
【００１３】
加えて、本考案には、前記ベース布地を用いて、頭部装着用で四角形状の頭覆部と前頭部に隣接する辺の両端から突出する一対の凸部とを有するバンダナ本体を形成し、該バンダナ本体における上記前頭部に隣接する辺とこれに対向し且つ後頭部に隣接する辺との少なくとも一方に帯状にした前記吸水性冷感布地を縫い付けると共に、上記バンダナ本体における一対の凸部ごとの異なる表面または同じ表面に面状係止テープを取り付けてなる、涼感装着具（請求項６）も含まれる。
これによれば、予め、水に浸したバンダナ本体における一対の凸部に取り付けた面状係止テープ同士を係止することで、該涼感装着具をバンタナ状にして頭部に装着することで、前頭部に隣接する辺および後頭部に隣接する辺との少なくとも一方に帯状に縫い付けた吸水性冷感布地が、額付近あるいは後ろ首付近に接触する。その結果、額付近からの発汗や、首筋付近から発汗を速やかに吸収し且つ順次蒸発させる作用が持続的に得られるので、簡単な操作で、炎天下などにおける作業を正確且つ快適に行うことができる。
尚、本考案の涼感装着具は、前記首や頭に巻き付けたり、バンダナ状に装着する形態に限らず、ベース布地のデザインを適宜変更して、腕輪やスパッツなどに適用することも可能である。
【図面の簡単な説明】
【００１４】
【図１】本考案による一形態の涼感装着具の概略を示す正面図。
【図２】図１に示す涼感装着具の部分垂直断面図。
【図３】上記涼感装着具に用いるベース布地を模式的に示す部分拡大図。
【図４】上記ベース布地に含まれる涼感糸と小胞体の模式的な概略図と断面図。
【図５】図１に示した涼感装着具に関する２つの装着例を示す概略図。
【図６】本考案による異なる形態の涼感装着具の概略を示す正面図。
【図７】図６に示した涼感装着具の装着方法を示す概略図。
【考案を実施するための形態】
【００１５】
以下において、本考案を実施するための形態について説明する。
図１は、本考案の一形態である首巻き（またはネッカチーフ）タイプの涼感装着具１の概略を示す正面図、図２は、該涼感装着具１の部分垂直断面図である。
涼感装着具１は、図１に示すように、左右方向に沿って細長い帯状体(１)を呈し且つ図１で奥側の表面を形成するベース布地１０と、該ベース布地１０とほぼ相似形で且つ図１で手前側の表面を形成するようにベース布地１０に縫い付けられた吸水性冷感布地２とを備えている。吸水性冷感布地２とベース布地１０との長手方向に沿った中央部には、極く緩いＶ字形状の窪み２ａ，１０ａが形成され、両端には、ほぼ半楕円形の端部２ｂ，２ｃ，１０ｂ，１０ｃが位置している。尚、吸水性冷感布地２は、図１において、ベース布地１０の約９０％以上の面積率であるが、ベース布地１０の面積と殆ど同じ約１００％の面積率としても良い。
また、図１に示すように、涼感装着具１の両端における一方（手前側）の表面と他方（奥側）の表面とには、使用者の首筋に巻き付けた際に、互いに係り合う面状係止テープ（登録商標：マジックテープ）Ｔ１，Ｔ２が取り付けられている。
【００１６】
図２に示すように、吸水性冷感布地２は、外側となるベース布地１０側からその反対（首筋または額）側に向かう順において、蒸発層３、保水層４、および吸収層９の３層構造からなる。このうち、最内側の吸収層９は、使用者の首筋などに隣接して、発汗に伴う汗を迅速に吸収し、中間の保水層４は、吸収層９に取り込まれた汗などの水分を貯留し、最外側の蒸発層３は、保水層４に貯留された前記水分をベース布２内の隙間を貫通して順次外部に蒸発・発散するものである。尚、吸水性冷感布地２とベース布地１０との間の隙間は、あっても無くても良い。
以上のような蒸発層３、保水層４、および吸収層９は、ポリエステルとポリイミド（通称：ナイロン）とからなり、少なくとも上記保水層４には、図２中で模試的的に示すように、中空部６，８を有するポリエステル繊維５，７が用いられている。内径が交互に大小となる中空部８を有し且つ軸方向に沿って異形のポリエステル繊維７は、水分の貯留を容易とし、且つ直交して織り込まれる縦糸または横糸となる同種または異種の繊維との織り上げ性を高めることも可能となる。
【００１７】
前記ポリエステルとポリイミドは、繊維径（太さ）が約１００〜２００デニールであり、例えば、ポリエステル：６５〜８５％とポリイミド：３５〜１５％、ポリエステル：８０％とポリイミド：２０％、あるいはポリエステル：７７％とポリイミド：２３％が例示され、これらの割合は、吸水性冷感布地２を構成する前記蒸発層３、保水層４、および吸収層９ごとの機能に応じて適宜選択される。
【００１８】
一方、前記ベース布地１０は、例えば、図３に示すように、縦糸に天然繊維または合成繊維からなる公知の通常の繊維１１を用い、横糸に涼感糸１２を用いて平織りしたものである。尚、涼感糸１２は横糸の一部に用いたり、縦糸と横糸との一部ずつに用いても良い。また、上記平織りでなく、綾織りなどにしても良い。
上記涼感糸１２は、図４（ａ）に示すように、セルロース系繊維含有糸１３と、該セルロース系繊維含有糸１３の表面にイオン結合により固着した複数（無数）の涼感機能剤１４とからなる。係る涼感機能剤１４は、図４（ｂ）の模式的な断面図で示すように、２分子多層構造の小胞体であり、該小胞体(１４)の親水層１５ａ，１５ｂには、糖アルコールからなる涼感成分（例えば、キシトール）が内包され、上記小胞体(１４)の親油層１６ａ〜１６ｃには、スキンケア成分（例えば、スクワラン）が内包されている。
【００１９】
以上のように、前記涼感糸１２は、セルロース系繊維含有糸１３と、その表面に涼感成分およびスキンケア成分を内包する２分子多層構造の小胞体からなる複数の涼感機能剤１４とからなるので、洗濯の繰り返しによっても涼感機能剤１４が脱落しにくい。更に、首筋などに巻き付けた際において、風合いが良好であり、且つ心地良い装着感と清涼感とを使用者に与えることが可能である。
【００２０】
図５（ａ）は、前記帯状体を呈する涼感装着具１を一点鎖線で示す首筋Ｎに巻き付け、図示しない顎の真下付近において、ベース布地１０の端部１０ｂ，１０ｃの互いに対向する表面に取り付けた前記面状係止テープＴ１，Ｔ２を係け止めし、Ｖ字形に緩く下側に凹んだ中央部２ａ，１０ａを首の後ろ付近に配置した状態を示す。
また、図５（ｂ）は、涼感装着具１を一点鎖線で示す首筋Ｎに巻き付ける際に、ベース布地１０の端部１０ｂ，１０ｃ付近の同じ表面に取り付けた前記面状係止テープＴ１，Ｔ２を係け止めすることで、図示しない顎の真下付近において、端部１０ｂ，１０ｃを斜めで且つほぼ対称に交差し、且つ中央部２ａ，１０ａを首の後ろ付近に配置した状態を示す。
【００２１】
以上のような帯条体の涼感装着具１は、予め水に浸した後、図５（ａ）（ｂ）で例示したように、首筋Ｎに巻き付けることで、例えば、炎天下の屋外における重労働や各種の作業に従事する使用者に対し、額や首筋から発汗した汗を前記３層構造の吸水性冷感布地２によって、迅速に吸収して内部に貯留すると共に、順次ベース布地１０を貫通して外部に蒸発させて放出する機能を長時間にわたって保証することができる。しかも、吸水性冷感布地２の外側には、ベース布地１０が位置しているので、使用時において風合いが良好であり、且つ心地良い装着感と清涼感とを使用者に与えることも可能となる。
【００２２】
図６は、前記涼感装着具１と異なる形態の涼感装着具２０の概略を示す正面図である。係る涼感装着具２０は、図６に示すように、前記ベース布地１０からなるバンダナ本体２４と、該バンダナ本体２４において使用者の前頭部付近と後ろ首付近とに隣接する予定の位置に、前記吸水性冷感布地２を短冊状に縫い付けた吸水性冷感布地２１，２２とを備えている。上記バンダナ本体２４は、正面視がほぼ四角形状（矩形または台形）の頭覆部２５と、使用者の前頭部付近に隣接する上辺（辺）２６の両端から左右に突出する一対の凸部２７，２８とからなる。
【００２３】
図６に示すように、前記バンダナ本体２４における上辺２６の中央付近には、着用時に使用者の額付近に隣接するように、短冊状の吸水性冷感布地２１が縫い付けられ、頭覆部２５の上辺２６に対向する下辺（辺）２９の中央付近には、着用時に使用者の後ろ首付近に隣接する短冊状の吸水性冷感布地２２が縫い付けられている。
更に、バンダナ本体２４における一対の凸部２７，２８の異なる表面には、前途同様の面状係止テープＴ１，Ｔ２が取り付けられている。
【００２４】
図７（ａ）は、前記涼感装着具２０の頭部に着用する際の状態を示し、図７（ｂ）は、涼感装着具２０の使用状態を示す概略図である。
図７（ａ）に示すように、予め、水に浸しておいた涼感装着具２０の上辺２６を使用者の顔Ｆの上部に沿って鉢巻き状となるように額とその両側に沿って接触させた状態で、一対の凸部２７，２８の面状係止テープＴ１，Ｔ２を係け止めする。次いで、上辺２６の上方に両手で持ち上げた頭覆部２５の下辺２９を、図７（ａ）中の一点鎖線の矢印で示すように、頭部Ｈから首Ｎの後ろ側に向かって覆うように垂れ降ろす。
【００２５】
その結果、図７（ｂ）に示すように、涼感装着具２０は、バンダナ（２４）として使用者の頭部Ｈに装着され、上辺２６側の吸水性冷感布地２１は、使用者の額付近に隣接し、且つ下辺２９側の吸水性冷感布地２２は、使用者の首Ｎの後ろ付近に隣接した状態となる。
図７（ｂ）に状態で、例えば、使用者が炎天下の屋外における重労働や各種の作業に従事した際に、額や首筋から発汗した汗を前記３層構造の吸水性冷感布地２１，２２によって、迅速に吸収して内部に貯留すると共に、順次これらの外側に隣接し且つベース布地１０からなるバンダナ本体２４を貫通して外部に蒸発させて放出する機能を長時間にわたり保持することができる。しかも、吸水性冷感布地２１，２２以外の位置は、ベース布地１０からなるバンダナ本体２４が位置しているので、風合いが良好であり、且つ心地良い装着感および清涼感を使用者に与えることも可能となる。
【００２６】
本考案は、以上において説明した各形態に限定されるものではない。
例えば、前記吸水性冷感布地２を構成する蒸発層３や吸収層５にも、前記中空部６，８を有するポリエステル繊維５，７を用いても良い。
また、全体が帯状の前記涼感装着具１は、ベース布地１０と吸水性冷感布地２とをそれぞれ幅広として、腕や脚に巻き付けることにより、例えば、ウォームクーラーやレッグクーラーとして活用するようにしても良い。
更に、前記涼感装着具２０において、額側に隣接する位置に設ける吸水性冷感布地２１と、後頭部側に隣接する位置に設ける吸水性冷感布地２２との何れか一方を省略した形態とし、主に額から発汗に対応したバンダナとするか、あるいは主に後ろ首付近からの発汗に対応したバンダナとしても良い。
また、前記涼感装着具２０は、ヘルメットの下側において頭部の防護を兼ねて被るためのバンダナとして活用しても良い。
加えて、前記ベース布２と吸水性冷感布地２とを併有し、例えば、ほぼ生保異形状としたベース布２の中央部付近に短冊状の吸水性冷感布地２を斜めに縫い付けて、該吸水性冷感布地２の一辺に沿ってほぼ二等片直角三角形に折り畳んで、前頭部あるいは頭頂部付近を冷却する涼感スカーフとして用いても良い。
【産業上の利用可能性】
【００２７】
本考案によれば、取り扱いが簡単で、風合いが良好で着け心地が良く、夏季などの高温多湿時において、頭部付近から発汗した汗を速やかに吸収し、清涼感および爽快感を長く保持し得る涼感装着具を提供できる。
【符号の説明】
【００２８】
１，２０…………涼感装着具
２，２１，２２…吸水性冷感布地
３…………………蒸発層
４…………………保水層
５，７……………ポリエステル繊維
６，８……………中空部
９…………………吸吸層
１０………………ベース布地
１０ｂ，１０ｃ…端部
１２………………涼感糸
１３………………セルロース系繊維含有糸
１４………………涼感機能剤／小胞体
１５ａ，１５ｂ…親水層
１６ａ〜１６ｃ…親油層
２４………………バンダス本体
２５………………頭覆部
２６………………上辺（辺）
２７，２８………凸部
２９………………下辺（辺）
Ｔ１，Ｔ２………面状係止テープ
【図１】
0003176280.tif 000003
【図２】
0003176280.tif 000004
【図３】
0003176280.tif 000005
【図４】
0003176280.tif 000006
【図５】
0003176280.tif 000007
【図６】
0003176280.tif 000008
【図７】
0003176280.tif 000009